(57)【特許請求の範囲】
【請求項１】
米袋等の袋体を搬送経路に沿って搬送する搬送手段と、前記搬送手段にて搬送されてきた袋体を一旦収納しておくために該搬送手段の終端部下方に配置した収納部と、前記収納部に収納された所定個数の袋体を開口がほぼ水平方向を向いた所定姿勢にセットされた外装袋内に移動させる移動機構と、前記外装袋を所定姿勢にセットするための外装袋供給手段とを備え、前記搬送手段の搬送終端部が左右一対のコンベアからなり、それらコンベアのそれぞれを前記搬送方向と平行な軸芯周りで揺動自在に構成すると共に、前記２つの軸芯を前記コンベアよりも上方に位置し、かつ、前記コンベアの搬送幅方向ほぼ両端に位置する箇所に設定し、前記軸芯よりも上側に位置して前記コンベアと一体に揺動する左右一対の部材の上端と前記コンベアの搬送幅方向ほぼ中間の縦軸芯周りに回転自在に取り付けた回転アームの両端とを、それぞれほぼ水平姿勢の連結部材により連結し、前記回転アームを所定角度回転させることにより、前記搬送されてきた袋体を前記搬送終端部まで搬送する搬送姿勢と、この搬送姿勢から前記軸芯周りで下方揺動させて該袋体を前記収納部に自然落下させる退避姿勢とに、前記搬送終端部を姿勢変更させる姿勢変更手段を設けたことを特徴とする袋体の袋詰め装置。
【請求項２】
前記コンベアへ電動モータ等の動力源からの動力伝達をタイミングベルトを備えるベルト伝動機構を介して行うことを特徴とする請求項１載の袋体の袋詰め装置。
【請求項３】
前記移動機構が、袋体を押し移動させる押圧板と、この押圧板を駆動する駆動部とからなり、前記押圧板を駆動して袋体を外装袋内に移動させた押し移動完了位置から押し移動を開始させるための待機位置へ戻す経路において該押圧板を上昇させる上昇手段を設けてなる請求項１記載の袋体の袋詰め装置。
【請求項４】
前記搬送手段の搬送経路途中に袋体をほぼ９０°方向転換させるための方向転換手段を設けてなる請求項１記載の袋体の袋詰め装置。
【請求項５】
米袋等の袋体を搬送経路に沿って搬送する搬送手段と、前記搬送手段にて搬送されてきた袋体を一旦収納しておくために該搬送手段の終端部下方に配置した収納部と、前記収納部に収納された所定個数の袋体を開口がほぼ水平方向を向いた所定姿勢にセットされた外装袋内に移動させる移動機構と、前記外装袋を所定姿勢にセットするための外装袋供給手段とを備え、前記外装袋の開口縁に予め又は袋詰め作業中に接着剤を塗布し、前記所定個数の袋体が移動された外装袋の開口縁のうちの左右縁部を互いに内方側に折り込むために左右から該左右縁部を接当押圧するための第１折り込み部と、この第１折り込み部にて折り込んだ左右縁部に前記外装袋の開口縁のうちの上部縁部を内方側に折り込んで重ね合わせるために上方から該上部縁部を接当押圧するための第２折り込み部と、前記第１折り込み部及び第２折り込み部にて折り込んだ縁部に前記開口縁の下部縁部を下方から接当押圧して接着剤による封止を完了するための第３折り込み部とからなる封止手段を備えさせ、前記第２折り込み部を上下２段に分離した２つの押圧部材から構成し、前記下方に位置する押圧部材を前記第３折り込み部が下部縁部を接当押圧する前に折り込みを解除した解除姿勢に姿勢変更させることを特徴とする袋体の袋詰め装置。
【発明の詳細な説明】
【０００１】
【発明の属する技術分野】
本発明は、米袋等の袋体の所定個数（複数個）を外装袋に自動的に詰めることができる袋体の袋詰め装置に関する。
【０００２】
【従来の技術】
上記袋体の袋詰め装置としては、例えば実公平５−１８２５７号公報に示される袋詰包装整形装置がある。これは、コンベアにて搬送されてきた小袋の２つを整列コンベア上に整列配置し、これら２つの小袋を、吸着盤を有する小袋保持機構により上方に持ち上げた後、整列コンベアに隣接配設された配積パレット上に配積する。このように所定個数に配積された小袋群を、セットされた外装袋の開口に向けて押圧板により移動させ、外装袋内に挿入するように構成している。
【０００３】
【発明が解決しようとする課題】
上記袋詰包装整形装置では、整列コンベアや小袋保持機構の他、配積パレット等が必要になり、構造の複雑化に伴う装置の大型化やコストの高騰化を招くものであった。又、吸着盤を有する小袋保持機構により２つの小袋を吸着した状態で持ち上げると、袋体は上方に持ち上げられるのであるが、内部に入っている内容物が自重で下方に移動することになるため、小袋が形崩れし、この状態で、配積パレット上に配積される。しかも、配積パレット上の所定位置に小袋を載置することが難しいため、セットされた外装袋の開口の大きさよりも小袋群の外形が食み出してしまっていることが多く、その結果、外装袋の開口に向けて押圧板により所定個数に配積された小袋群を移動させても、外装袋に小袋群を挿入している途中で詰まってしまい、外装袋に小袋群を挿入することができないことになり、実際には、前記小袋群の詰まりを人為的に解消しながら、作業を行うことになり、作業効率が非常に悪化するものであった。又、押圧板により所定個数に配積された小袋群を無理矢理外装袋に詰めようとすると、小袋や外装袋の破袋を招くものであった。又、吸着盤を有する小袋保持機構により２つの小袋を吸着して配積パレット上に配積するまでに時間を要することから、この時間内は、整列コンベア上に連続して小袋を配置することができず、その時間分作業効率を低下させることになり、前記作業効率を更に悪化させるものであった。
【０００４】
本発明が前述の状況に鑑み、解決しようとするところは、破袋等の発生のない状態で米袋等の袋体を、整然と、かつ、効率よく外装袋に詰めることができ、しかも装置が複雑化することを回避することができる袋体の袋詰め装置を提供する点にある。
【０００５】
【課題を解決するための手段】
本発明の袋体の袋詰め装置は、前述の課題解決のために、米袋等の袋体を搬送経路に沿って搬送する搬送手段と、前記搬送手段にて搬送されてきた袋体を一旦収納しておくために該搬送手段の終端部下方に配置した収納部と、前記収納部に収納された所定個数の袋体を開口がほぼ水平方向を向いた所定姿勢にセットされた外装袋内に移動させる移動機構と、前記外装袋を所定姿勢にセットするための外装袋供給手段とを備え、前記搬送手段の搬送終端部が左右一対のコンベアからなり、それらコンベアのそれぞれを前記搬送方向と平行な軸芯周りで揺動自在に構成すると共に、前記２つの軸芯を前記コンベアよりも上方に位置し、かつ、前記コンベアの搬送幅方向ほぼ両端に位置する箇所に設定し、前記軸芯よりも上側に位置して前記コンベアと一体に揺動する左右一対の部材の上端と前記コンベアの搬送幅方向ほぼ中間の縦軸芯周りに回転自在に取り付けた回転アームの両端とを、それぞれほぼ水平姿勢の連結部材により連結し、前記回転アームを所定角度回転させることにより、前記搬送されてきた袋体を前記搬送終端部まで搬送する搬送姿勢と、この搬送姿勢から前記軸芯周りで下方揺動させて該袋体を前記収納部に自然落下させる退避姿勢とに、前記搬送終端部を姿勢変更させる姿勢変更手段を設けたことを特徴としている。
上記のように搬送手段の終端部まで搬送されてきた袋体は、搬送手段の終端部を退避姿勢に変更することによって、搬送されてきたそのままの姿勢で下方に自然落下し、収納部に一旦収納される。そして、収納部に所定個数の袋体が収納されると、これら袋体が移動機構により所定姿勢にセットされた外装袋内に移動されて袋詰めが完了するのである。尚、水平姿勢から退避姿勢に変更するときの搬送手段の終端部の揺動速度を、袋体が自然落下するときの落下速度よりも速く設定することは当然である。
前記袋体が例えば米袋等のように平面視ほぼ長方形状を有するものでなる場合には、袋体を、それの長方形状の上下のほぼ偏平となる両面のうちの一方の偏平面を下にした状態、つまり搬送面との接触面積を最も大きくすることができる安定した姿勢で搬送し、この安定姿勢で袋体を自然落下させることにより、収納部に着地したときの衝撃力により形崩れすることなく収納部に袋体を収納することができる。
【０００６】
上記のように搬送終端部を左右一対のコンベアから構成することによって、単一のコンベアから構成したものに比べて、退避位置への揺動角度（揺動ストローク）を小さく（少なく）することができ、その分駆動時間の短縮及びエネルギーの削減を図ることができる。又、軸芯を上記のように設定することによって、前記退避位置への揺動角度（揺動ストローク）を更に小さく（少なく）することができる。前記コンベアとしては、ベルト式の他、ローラ式やチェーン式等が考えられる。
【０００７】
前記コンベアへ電動モータなどの動力源からの動力伝達をタイミングベルトを備えるベルト伝動機構を介して行うことによって、コンベアの退避位置への揺動時にタイミングベルトが捻れることでコンベアの位置変更を特別な吸収機構等を設けなくとも良好に吸収することができる。しかも、タイミングベルトで構成することによって、スリップ等がなく、位置制御等のデータとしても正確に利用することができる。
【０００８】
前記移動機構が、袋体を押し移動させる押圧板と、この押圧板を駆動する駆動部とからなり、前記押圧板を駆動して袋体を外装袋内に移動させた押し移動完了位置から押し移動を開始させるための待機位置へ戻す経路において該押圧板を上昇させる上昇手段を設けることによって、押圧板を押し移動完了位置から待機位置へ戻すまでに収納部に次の袋体を収納していても、押圧板を上昇させて戻すことによって、収納部に収納した次の袋体に干渉することなく、待機位置に戻すことが可能になる。
【０００９】
前記搬送手段の搬送経路途中に袋体をほぼ９０°方向転換させるための方向転換手段を設けることによって、米袋等の長方形状のもの等、縦横の寸法が異なる袋体を方向転換して外装袋に合理的に詰めることができる。
【００１０】
米袋等の袋体を搬送経路に沿って搬送する搬送手段と、前記搬送手段にて搬送されてきた袋体を一旦収納しておくために該搬送手段の終端部下方に配置した収納部と、前記収納部に収納された所定個数の袋体を開口がほぼ水平方向を向いた所定姿勢にセットされた外装袋内に移動させる移動機構と、前記外装袋を所定姿勢にセットするための外装袋供給手段とを備え、前記外装袋の開口縁に予め又は袋詰め作業中に接着剤を塗布し、前記所定個数の袋体が移動された外装袋の開口縁のうちの左右縁部を互いに内方側に折り込むために左右から該左右縁部を接当押圧するための第１折り込み部と、この第１折り込み部にて折り込んだ左右縁部に前記外装袋の開口縁のうちの上部縁部を内方側に折り込んで重ね合わせるために上方から該上部縁部を接当押圧するための第２折り込み部と、前記第１折り込み部及び第２折り込み部にて折り込んだ縁部に前記開口縁の下部縁部を下方から接当押圧して接着剤による封止を完了するための第３折り込み部とからなる封止手段を備えさせ、前記第２折り込み部を上下２段に分離した２つの押圧部材から構成し、前記下方に位置する押圧部材を前記第３折り込み部が下部縁部を接当押圧する前に折り込みを解除した解除姿勢に姿勢変更させることを特徴としている。
所定個数の入った外装袋の開口縁を封止する場合には、まず外装袋の開口縁のうちの左右縁部を第１折り込み部により左右から互いに内方側に折り込み、次に第２折り込み部により外装袋の開口縁のうちの上部縁部を内方側に折り込んで第１折り込み部にて折り込んだ状態の左右縁部に重ね合わせる。この後、第３折り込み部により開口縁の下部縁部を下方から接当押圧して第１折り込み部及び第２折り込み部にて折り込んだ縁部に重ね合わせて接着を完了するのであるが、第３折り込み部が下部縁部を接当押圧する前に下方に位置する押圧部材が折り込みを解除した解除姿勢に姿勢変更することによって、第３折り込み部が開口縁の下部縁部だけでなく、下方に位置する押圧部材が押圧していた上部縁部を同時に接当押圧して接着を確実に行わせることができる。尚、前記接着剤としては、粘弾性体に圧力を加えることにより流動し、必要な接着強さを持つ感圧接着剤（粘着剤）が好ましいが、熱硬化性接着剤等の反応型接着剤や溶液型接着剤等の蒸発型接着剤等でもよい。
【００１１】
【発明の実施の形態】
図１及び図２に、袋体の一例である平面視ほぼ長方形状を有する米袋１を外装袋２に自動的に詰めることができる袋詰め装置を示している。この袋詰め装置は、米袋１を長方形状の上下のほぼ偏平となる両面のうちの一方の偏平面を下にした状態で、かつ、長手方向がほぼ搬送方向となる姿勢で一直線上の搬送経路に沿って特定箇所まで搬送するための搬送手段３と、前記搬送手段３にて搬送されてきた米袋１を一旦収納しておくために該搬送手段３の終端部下方に配置した収納部４と、前記収納部４に収納された所定個数の袋体１を、搬送幅方向一端側に配設され、かつ、開口がほぼ水平方向を向いた所定姿勢にセットされた外装袋２内に移動させる後述の移動機構５と、前記外装袋２を所定姿勢にセットするための外装袋供給手段６を主要構成としている。前記袋体としては、後述する１ｋｇ〜５ｋｇまでの小さな米袋の他、１０ｋｇの米袋でもよく、又、あづき袋や砂糖袋等、袋充填された袋体であればどのようなものでもよい。
【００１２】
前記搬送手段３は、搬送始端部に搬送後方側に向かって徐々に上方に搬送していく後方傾斜部分を有する第１ベルトコンベア７と、この第１ベルトコンベア７により搬送されてきた米袋１を受け取って後方に搬送し、かつ、該第１ベルトコンベア７の搬送幅よりも狭い搬送幅を有する第２ベルトコンベア８と、この第２ベルトコンベア８から米袋１を受け取って前記収納部４の直上方まで搬送する左右一対の第３ベルトコンベア９，９とから構成している。前記搬送手段３を３つのベルトコンベア７，８，９にて構成したが、１つのベルトコンベア又は２つのベルトコンベア又は４つ以上のベルトコンベアで構成してもよい。又、後述の方向転換手段Ａを設ける関係上、前記第１ベルトコンベア７の搬送幅を他のベルトコンベア８，９の搬送幅よりも広く設定したが、それらを全て同一の搬送幅にしてもよい。又、搬送手段３としては、大きな輸送力を持ち動力消費が少なく構造も簡単なベルトコンベアが最適であるが、ローラコンベアやチェーンコンベア等でもよい。
【００１３】
前記第３ベルトコンベア９，９を、図３に示すように、前記第２ベルトコンベア８にて搬送されてきた袋体を搬送終端部まで水平姿勢（ほぼ水平でもよい）で搬送する搬送姿勢（実線で示す）と、この搬送姿勢から搬送経路から斜め下方に退避させて米袋１を下方に配置した前記収納部４に自然落下させる退避姿勢とに姿勢変更可能に構成してあり、第３ベルトコンベア９，９を姿勢変更させる姿勢変更手段１０について説明する。
図３、図４及び図６に示すように、左右一対の縦フレーム１１，１１を前後に配設し、それら前後に位置する縦フレーム１１，１１の上端に角形フレーム１４をそれぞれ架設し、これら左右の角形フレーム１４，１４の前後方向ほぼ中間部の上端に固定したＬ型の取付部材１６，１６間に前後一対の板状のフレーム１５，１５をそれぞれ固定し、それらフレーム１５，１５の両端側箇所（縦フレーム寄りの箇所）に回転自在に支持される貫通軸１７，１７に一体回転する状態で上下のＬ型の連結板材１９Ａ，１９Ｂを介して一体化された前後一対のＬ型の支持部材１８，１８をそれぞれ取り付け、前記第３ベルトコンベア９，９を前記支持部材１８，１８の水平板部上面に載置固定して、第３ベルトコンベア９，９を搬送方向と平行な水平軸芯Ｘ１，Ｘ２周りで揺動可能に構成している。前記上側に位置する連結板材１９Ａ，１９ＡにＬ型部材２０，２０の下部を連結し、これらＬ型部材２０，２０の上端にほぼ水平姿勢の連結部材２１，２１の一端のボールジョイント部を枢支連結し、これら連結部材２１，２１の他端を前記フレーム１５，１５の搬送幅方向（左右方向）ほぼ中間の上端に渡って固定した固定板２２に縦軸芯Ｙ周りで回転自在に取り付けた回転アーム２３の両端にそれぞれ枢支連結し、前記回転アーム２３を所定角度回転させるためのシリンダＳを前記一方の角形フレーム１４と該回転アーム２３の一端との間に取り付けている。
従って、シリンダＳを図４の短縮状態から伸長作動させて、回転アーム２３が平面視において時計周りに所定角度回転すると共に、Ｌ型部材２０，２０の上端部同士を互いに引き寄せる側に揺動させることによって、左右一対ずつの支持部材１８，１８、１８，１８をそれぞれの軸芯Ｘ１，Ｘ２周りで互いに離れる側に揺動させて、第３ベルトコンベア９，９上の米袋１を下方の収納部４に自然落下させるようにしている。このように下方に円弧を描きながら第３ベルトコンベア９，９を退避位置に位置変更させることによって、水平方向にスライドさせて第３ベルトコンベア９，９を退避させる場合に米袋１に対する第３ベルトコンベア９，９表面（上面）の摩擦係数等により米袋１の位置や姿勢等が不測に変更されることを確実に回避することができる。前記第３ベルトコンベア９，９を退避させる速度は、米袋１が自然落下する速度よりも速い速度に設定することになる。前記２つの第３ベルトコンベア９，９により米袋１を落下させる構成にすることによって、揺動角度（揺動ストローク）を小さく（少なく）することができる利点があるが、単一のコンベアを設けて、１個のコンベアを揺動させるように構成してもよい。又、前記２つの軸芯Ｘ１，Ｘ２を第３ベルトコンベア９，９よりも上方に位置させ、コンベアの搬送幅方向ほぼ両端に位置する箇所に設定することによって、米袋１に対して逃げやすくすることができるだけでなく、前記揺動角度（揺動ストローク）を更に小さく（少なく）することができる利点があるが、他の箇所に２つの軸芯Ｘ１，Ｘ２を設定してもよい。
【００１４】
前記第３ベルトコンベア９，９を駆動するためのベルト伝動機構Ｂについて説明すれば、図４〜図６に示すように、前記搬送方向後端に位置する左右一対の縦フレーム１１，１１の搬送方向後面側に架設した補助フレーム２４上の一端に電動モータ２５を取り付け、この電動モータ２５の駆動軸と前記補助フレーム１９の中間部に固定の平面視長方形の箱体２６に貫通支持させた駆動回転軸２７とをカップリング２８を介して連結し、前記駆動回転軸２７の両端に一体回転状態でプーリ２９，２９を取り付け、前記後方側に位置する支持部材１８，１８の垂直板部の上側に米袋１の搬送中心側に向けて延出板部２０Ａ，２０Ａを形成し、これら延出板部２０Ａ，２０Ａに平面視ほぼコの字状のブラケット３０，３０を取り付け、これらブラケット３０，３０の相対向する平行な板部３０Ａ，３０Ａ、３０Ａ，３０Ａ間に回転軸３２，３２を回転自在に支持させ、これら回転軸３２，３２の搬送幅方向外方側一端に一体回転状態で取り付けたプーリ３３，３３と前記プーリ２９，２９とをタイミングベルト３４，３４により連動し、前記回転軸３２，３２の搬送幅方向他端に一体回転状態で取り付けたプーリ３５，３５と前記第３ベルトコンベア９，９の駆動軸に固着のプーリ３６とをタイミングベルト３７，３７により連動して、電動モータ２５を駆動することによって、２つの第３ベルトコンベア９，９を駆動することができるようにしている。このようにタイミングベルト３４，３４により連動させているから、前記のように第３ベルトコンベア９，９を揺動させても、タイミングベルト３４，３４が捻れるだけで電動モータ２５から第３ベルトコンベア９，９への動力伝達を支障なく行うことができる。図５に示す３８は、位置検出器の一例であるエンコーダであり、図６に示す米袋１検出手段の一例である光電スイッチ３９からの検出情報に基づいて米袋１を第３ベルトコンベア９，９の所定位置に位置させるためにエンコーダ３８からの位置情報を利用して電動モータ２５の駆動停止時期を決定することができるようにしている。
【００１５】
図２及び図７に示すように、前記第１ベルトコンベア７の始端に供給される米袋１を搬送幅方向ほぼ中央に接当案内するための左右一対の米袋１案内用のガイド４０，４０を設けているが、必ずしも必要ではない。そして、前記ガイド４０，４０により案内されながら搬送されてきた米袋１をほぼ９０°方向転換させるための方向転換手段Ａを前記第１ベルトコンベア７の搬送方向終端部に設けてあり、米袋１の大きさ等によっては外装袋２に効率よく詰める目的で搬送されてきた姿勢（方向）を９０°変更した状態で収納部４に自然落下させることができるようにしている。前記方向転換手段Ａも必ずしも必要ではない。図１３（ａ）〜（ｄ）に方向転換して外装袋２に詰める場合を示している。
【００１６】
前記方向転換手段Ａは、図７〜図９に示すように、搬送されてきた米袋１を一端側に寄せるための押圧板４１及びこの押圧板４１を搬送幅方向（左右方向）に移動させるためのシリンダ４２（これら一端側に寄せるための構成は必ずしも必要ではない）と、前記押圧板４１にて押し移動された米袋１を受け止める受止板４３（これも必ずしも必要ではない）と、この受止板４３にて案内された米袋１の搬送方向前端面と横一側面とを受け止める平面視ほぼＬ字型の方向転換部材４４と、縦（上下）軸芯Ｚ周りで回転自在に吊り下げ支持された回転軸４５に一体回転状態で固定された前記方向転換部材４４取付用の水平板部材４６と、前記回転軸４５を回転操作するためのシリンダ４７と、前記方向転換部材４４による方向転換中に米袋１が遠心力を受けて方向転換部材４４から飛び出すことを阻止するための後述する阻止手段４８（この阻止手段は必ずしも必要ではない）とを備えているが、これらの構成以外でもよい。
従って、第１ベルトコンベア７にて長手方向が搬送方向となる姿勢で搬送されてきた米袋１が発光部と受光部とからなる光電スイッチ４９，４９（図７参照）にて検出されると、押圧板４１を所定のタイミング（検出後設定時間経過したときのタイミング）で作動させて米袋１を一端側に寄せた後、発光部と受光部とからなる光電スイッチＣ，Ｃ（図７参照）にて検出されると、方向転換部材４４を所定のタイミング（検出後設定時間経過したときのタイミング）で回転させると共に、阻止手段４８にて米袋１の飛び出しを阻止した状態で、米袋１の方向転換を行い、方向転換が終了すると同時に阻止手段４８を解除操作することによって、長手方向が搬送幅方向に向いた状態に方向転換された米袋１が第１ベルトコンベア７にて第２ベルトコンベア８の始端部まで搬送されるのである。
【００１７】
前記阻止手段４８は、図９及び図１０（ａ），（ｂ）に示すように、米袋１をベルト面側に押し付けるために揺動自在に上端が吊り下げ支持された押圧板５０と、この押圧板５０を米袋１を押圧する作用姿勢と押圧を解除した解除姿勢とに切り替えるために前記水平板部材４６に固定された左右一対のブラケット５１，５１に回転自在に支持させた回転軸５２と該押圧板５０との間に設けたシリンダ５３とから構成し、シリンダ５３を伸長作動させることにより、図１０（ａ）に示すように押圧板５０を解除姿勢に切り替え、又、前記シリンダ５３を短縮作動させることにより、図１０（ｂ）に示すように、押圧板５０を作用姿勢に切り替えることができるようにしている。前記押圧板５０の下端を丸く形成することによって、米袋１を押圧したときに米袋１を損傷させることがないようにしているが、押圧板５０の形状は、図に示す形状以外でもよい。
【００１８】
前記収納部４は、図１１及び図１２に示すように、米袋１を受け止めて収納しておくための水平姿勢の底部５４と、この底部５４の前後両端縁からヒンジを介して揺動自在に連結された前壁部５５Ａ及び後壁部５５Ｂと、これら前後壁部５５Ａ，５５Ｂを独立して揺動操作する２つのシリンダ５７，５８とからなる第１収納部５９と、この第１収納部５９から搬送幅方向一端側に延出された第２収納部６０とからなっている。前記シリンダ５７，５８のピストンロッドの先端をほぼ中央部の水平軸芯Ｗ周りで回転自在に設けたアーム５６，５６の下端部に枢支連結し、それらアーム５６，５６の上端部に備えさせたローラ５６Ａ，５６Ａを前記前後壁部５５Ａ，５５Ｂの壁面に付設のコの字状のブラケット５５Ｖ，５５Ｖに移動自在に係止している。従って、シリンダ５７，５８を短縮作動させることにより、アーム５６，５６を回転させることで図１０の２点鎖線で示すように前後壁部５５，５６を上端側ほど前後方向に拡がった姿勢にして、第３ベルトコンベア９，９から自然落下する米袋１の落下位置が所定位置からずれた場合でも、前後壁部５５，５６の傾斜案内面により底部５４に確実に収納することができるようにガイドとして機能させることができるようにしている。前記第２収納部６０は、前記第収納部５９の底部５４から延出された底部と、この底部の前後両端縁から垂直方向に伸びる前後壁部とからなっている。
【００１９】
前記第２収納部６０の終端部には、開口が第２収納部６０に臨む水平姿勢でセットされており、前記収納部４が所定個数の米袋１になると、前記移動機構５を作動させることにより、外装袋２内にそれら所定個数の米袋１を詰めることができるようにしてあり、次にその移動機構５について説明する。
図１２に示すように、米袋１を押し移動させる押圧板６１と、この押圧板６１を駆動する駆動部６２とからなり、前記押圧板６１を駆動して米袋１を外装袋２内に移動させた押し移動完了位置（２点鎖線で示す位置）から押し移動を開始させるための待機位置（実線で示す位置）へ戻す経路において該押圧板６１を上昇させる上昇手段としてのシリンダ６３を設けて、例えば押し移動完了位置から押し移動を開始させるための待機位置へ戻すときに米袋１が第１収納部５９に収納されていても、これを上方側に迂回させて押圧板６１を良好に戻すことができ、袋詰め作業の迅速化を図ることができるようにしている。前記駆動部６２は、シリンダ本体６４とスライドテーブル６５からなり、このスライドテーブル６５に固定された支持枠体６６に前記シリンダ６３のシリンダチューブ側端部を枢支連結し、このシリンダ６３のピストンロッドの先端と前記支持枠体６６に一端が枢支連結された側面視ほぼＬ字型のアーム６７の先端上部とを枢支連結し、前記アーム６７の先端下部に一端が枢支された補助アーム６７Ａの他端と前記支持枠体６６に一端が枢支連結された前記押圧板６１の他端とを枢支連結して、図１１に示すように伸長作動しているシリンダ６３を短縮作動させることにより、垂直姿勢の押圧板６１を水平姿勢に姿勢変更できるようにしている。図１２に示す６８は、前記第１収納部５９と第２収納部６０とを仕切るための仕切板であり、図に示すシリンダ６９により第１収納部５９に収納した米袋１の上側に積み重ねられるために落下供給した米袋１が第２収納部６０にずれ落ちる等、上段に落下供給する米袋１が下側の米袋１に対して不測に移動することがないように垂直となる仕切姿勢（図に破線で示す）と第１収納部５９に収納された米袋１を第２収納部６０へ移動させることを許容するために水平となる解除姿勢（図に実線で示す）とに姿勢変更することができるようにしている。
【００２０】
図１３（ａ），（ｂ），（ｃ），（ｄ）及び図１４（ａ），（ｂ），（ｃ），（ｄ），（ｅ），（ｆ）に、前記収納部４での収納の仕方を米袋１の大きさ及び個数に応じてそれぞれ示している。いずれのものも上側に積層した米袋１を上から見た平面図を示し、下側に積層した米袋１を後側から見た背面図を示し、このように積層された米袋１は前記押圧板６１にて矢印方向に移動させて外装袋２に詰め込むことになる。
【００２１】
図１５に示すように、前記外装袋供給手段４は、前記外装袋２の複数を積み重ね収納しておくための収納部７０と、この収納部７０に収納されている外装袋２のうちの最上部に位置する外装袋２から順次吸着により分離させた後、該外装袋２を後述の回転テーブル７２まで移動させて外装袋２の口を米袋１の詰め込みを可能とする状態にセットするための外装袋セット手段７１とから構成している。
【００２２】
前記外装袋セット手段７１が、両側に配置された駆動プーリと従動プーリに巻回されたベルト７３と、このベルト７３を駆動する正逆転可能な電動モータＭと、前記ベルト７３に取り付けられた伸縮自在なシリンダ７４と、このシリンダ７４のピストンロッドの先端に取り付けられ、前記最上部に位置する外装袋２の上面を吸着して直下方に位置する外装袋２と分離させるための複数の吸着パッド７５と、回転テーブル７２に移動させた米袋１の口に挿入して該口を所定の開口姿勢に保つための左右一対の口縁部材７６とからなっている。従って、まず、一枚目の外装袋２をセットする場合には、シリンダ７４を図１５のほぼ中央に位置する待機位置から電動モータＭを作動させて右端の仮想線で示す位置まで移動させてから、シリンダ７４を伸長作動させて吸引状態になっている吸着パッド７５を外装袋２の上面に吸着させた後、シリンダ７４を短縮作動させて外装袋２を上昇させてから前記電動モータＭを作動させて、外装袋２を図１５の実線で示す位置、つまり回転テーブル７２の直上方まで移動させる。次に、シリンダ７４を伸長作動させることにより回転テーブル７２の底部上面まで外装袋２を下降させた後、シリンダ７４を短縮作動させることにより、外装袋２の上面を上昇させながらも、回転テーブル７２の下部に設けた吸着パッド（図示せず）により外装袋２の下面を吸着することで外装袋２の口を開いた後、口縁部材７６，７６のそれぞれを図示していないアクチュエータにより縦軸芯周りで回転させることにより外装袋２の口内に挿入して口を所定姿勢に保持するようにしている。そして、このようにセットした外装袋２を図２に仮想線で示すセット姿勢から実線で示す所定姿勢に姿勢変更させるために回転テーブル７２を図示していないアクチュエータにより縦軸芯周りで回転させるのである。
【００２３】
前記所定姿勢にセットされた外装袋２に所定個数の米袋１が詰められた後は、前記回転テーブル７２を図２の仮想線で示す位置になるように回転させた後、図１６に示すように、シリンダ７７により外装袋２の底部が下方となるように回転テーブル７２を傾斜姿勢に姿勢変更させ、押圧用のシリンダ７８により米袋１を押すことにより下方に移動させてから、外装袋２の開口縁を封止するのである。前記一枚目の外装袋２をセットした後は、前述のように図１５の実線で示す位置にあるシリンダ７４を右端の２点鎖線で示す位置まで移動させた後、前述同様に外装袋２を吸着パッド７５にて吸着した後、図１５のほぼ中央の前記待機位置まで移動させる。この後、前記回転テーブル７２が傾斜姿勢から水平姿勢に戻された時点で、前記外装袋２を吸着しているシリンダ７４を図１５の実線で示す位置まで移動させて、前述のように回転テーブル７２に外装袋２をセットする。そして、次回の外装袋２のセットも同様に待機位置でシリンダ７４が外装袋２を吸着した状態で待機し、前述同様に外装袋２をセットするのである。
前記外装袋２の開口縁には、感圧接着剤（粘着剤）が予め塗布されており、外装袋２の開口縁を後述のように折り畳むだけで接着が完了するようになっている。前記感圧接着剤（粘着剤）は、図１９（ａ）に示すように、外装袋２の開口縁のうちの左右縁部それぞれの内面の上半分の２箇所と、上部縁部２Ｃの外面と、下部縁部２Ｄの内面の４箇所塗布されており、このように塗布しておくことによって、封止した後、接着剤が外面に露呈することがないようにしている。前記外装袋２の開口縁に予め接着剤を塗布しておく他、接着工程を袋詰め作業中に行うようにしてもよい。
【００２４】
前記外装袋２の開口縁を封止する封止手段Ｆの構成について説明すれば、図１７〜図１９に示すように、外装袋２の開口縁のうちの左右縁部２Ａ，２Ｂを互いに内方側に折り込むために左右から該左右縁部２Ａ，２Ｂを接当押圧するための第１折り込み部８１と、この第１折り込み部８１にて折り込んだ左右縁部２Ａ，２Ｂに前記外装袋２の開口縁のうちの上部縁部２Ｃを内方側に折り込んで重ね合わせるために上方から該上部縁部２Ｃを接当押圧するための第２折り込み部８２とを、シリンダ７９により上昇させた待機位置と下降させた封止可能な使用姿勢とに切り替え自在な支持フレーム８０に取り付けている。又、前記第１折り込み部８１及び第２折り込み部８２にて折り込んだ縁部２Ａ，２Ｂ，２Ｃに前記開口縁の下部縁部２Ｄを下方から接当押圧して接着剤による封止を完了するための第３折り込み部８３を下方に設けた外装袋２受止用の支持台８４に移動させるための中継用のガイド板として構成している。
【００２５】
前記第１折り込み部８１を、ほぼ三角形状の左右一対の板材８１Ａ，８１Ａから構成し、それら板材８１Ａ，８１Ａのそれぞれを外装袋２の案内傾斜面に対して垂直となる方向の軸芯周りで回転可能に構成し、シリンダ８５，８５（図では一方のみ図示）により板材８１Ａ，８１Ａをそれの頂部が前方に向いた折り込み解除姿勢と互いに９０°内方側に回転させた折り込み姿勢とに姿勢変更自在に構成している。尚、前記第１折り込み部８１の板材８１Ａ，８１Ａは、袋体２が所定位置に位置するまで図１８の２点鎖線で示す位置にあり、前記板材８１Ａ，８１Ａを前記のように折り込み姿勢に姿勢変更させる前に、左右に設けられたシリンダＤ，Ｄを短縮作動させることにより図１８の実線で示す距離Ｌだけ内側に寄った位置まで移動させるようにしている。又、前記第２折り込み部８２を、上下２段に分離した２つの押圧部材８２Ａ，８２Ｂから構成し、それら押圧部材８２Ａ，８２Ｂを２つのシリンダ８６，８７により図に示す水平姿勢よりも一端が上方に向いた傾斜姿勢となる折り込み解除姿勢と前記外装袋２の案内傾斜面に対して垂直となる折り込み姿勢とに姿勢変更自在に構成している。又、第３折り込み部８３を押圧面に突出するゴムや合成樹脂等でなる複数のローラ８３Ａを備え、かつ、水平軸芯周りで揺動自在に支持させた押圧板から構成し、前記押圧板８３をシリンダ８８により前記外装袋２を移動案内させる案内（折り込み解除）姿勢と前記案内傾斜面に対して垂直となる折り込み姿勢とに姿勢変更自在に構成している。尚、前記複数のローラ８３Ａを備えさせることによって、押圧板８３の押圧力を大きく設定しても、第１及び第２折り込み部８１，８２が破損することを弾性力により回避しながらも、接着を確実に行うことができるようにしている。そして、前記下方に位置する押圧部材８２Ｂを前記第３折り込み部８３が下部縁部２Ｄを接当押圧する前に折り込みを解除した解除姿勢に姿勢変更させるように構成している。
【００２６】
前記外装袋２の口を封止することを、図１９（ａ），（ｂ），（ｃ），（ｄ）の図面に基づいて説明する。分かり易くするために図では外装袋２を水平姿勢にした状態で描いている。
まず、図１７に示すように外装袋２が支持台８４に移動すると同時に、シリンダ７９を伸長側に作動して第１折り込み部８１及び第２折り込み部８２を下降させると共にシリンダＤ，Ｄを短縮作動させて折り込み可能状態にする（図１９（ａ）参照）。続いて、シリンダ８５を伸長作動させて左右の縁部２Ａ，２Ｂを折り込む（図１９（ｂ）参照）。次に、シリンダ８６，８７を伸長作動させることにより上部縁部２Ｃを折り込んだ後、前記シリンダ８７を直ちに短縮作動させて折り込み解除姿勢に姿勢変更させる（図１９（ｃ）の２点鎖線参照）。この後、シリンダ８８を伸長作動させることにより下部縁部２Ｄを折り込んで、封止を終了する（図１９（ｄ）参照）。
【００２７】
前記封止を終了した後は、前記シリンダＤ，Ｄを伸長作動させて板材８１Ａ，８１Ａを互いに離間する外方側に移動させて袋体２の重ね合わせた部分から抜き取った後、伸長作動させているシリンダ７９の他、残りのシリンダ８５，８６，８８も短縮作動させて、外装袋２を案内可能な初期状態に切り替えることになる。又、封止を終了した外装袋２は、シリンダ８９を短縮作動させることにより支持台８４を前倒れ傾斜姿勢にして外装袋２を前側下方に配置してあるベルトコンベア９０に自重により移動させて、所定箇所まで搬送するのである。前記支持台８４からベルトコンベア９０に外装袋２を受け渡す際に、図１７に示すように、外装袋２の前面の封止部を接当板９１にて再度接当させて接着が確実に行われるようにしている。図に示す９２は、前記接当板９１を操作するためのシリンダである。
【００２８】
【発明の効果】
請求項１によれば、搬送手段の終端部まで搬送されてきた袋体を搬送手段の姿勢変更手段にて搬送されてきたそのままの姿勢で下方に自然落下させる構成にすることができるから、従来のように吸着盤を有する小袋保持機構により２つの小袋を吸着した状態で持ち上げた場合に発生する袋体の形崩れや破袋等がない。又、形崩れのない状態で、しかも吸着盤を有する小袋保持機構により２つの小袋を吸着して配積パレット上に配積するまでに時間を要するようなことがないから、整然と、かつ、高効率で袋体を外装袋に詰めることができる。又、吸着盤を有する小袋保持機構等の特別な装置等が一切不要になり、その分装置の小型化及びコストの低減化を図ることができる。
【００２９】
また、搬送終端部を左右一対のコンベアから構成することによって、単一のコンベアから構成したものに比べて、退避位置への揺動角度（揺動ストローク）を小さく（少なく）することができ、その分駆動時間の短縮及びエネルギーの削減を図ることができ、より一層作業の高速化を図ることができると共に経済面において有利になる。
【００３０】
請求項２によれば、コンベアへ電動モータなどの動力源からの動力伝達をタイミングベルトを備えるベルト伝動機構を介して行うことによって、コンベアの退避位置への揺動時にタイミングベルトが捻れることでコンベアの位置変更を特別な吸収機構等を設けなくとも良好に吸収することができ、簡素な構成で動力伝達が行える利点がある。
【００３１】
請求項３によれば、押圧板を押し移動完了位置から押し移動を開始させるための待機位置へ戻す経路において上昇させる上昇手段を設けることによって、押圧板を押し移動完了位置から待機位置へ戻すまでに収納部に次の袋体を収納していても、押圧板を上昇させて戻すことによって、収納部に収納した次の袋体に干渉することなく、待機位置に戻すことが可能になり、その分作業の高速化を図ることができる。
【００３２】
請求項４によれば、搬送手段の搬送経路途中に袋体をほぼ９０°方向転換させるための方向転換手段を設けることによって、米袋等の長方形状のもの等、縦横の寸法が異なる袋体を方向転換して外装袋に合理的に詰めることができるから、米袋以外の大きさの異なる袋体への対応も良好に行うことができ、使用範囲の拡大を図ることができる。
【００３３】
請求項５によれば、第３折り込み部が下部縁部を接当押圧する前に下方に位置する押圧部材が折り込みを解除した解除姿勢に姿勢変更することによって、第３折り込み部が開口縁の下部縁部だけでなく、下方に位置する押圧部材が押圧していた上部縁部を再度接当押圧してその部分を２度打ちすることができ、封止のための接着を確実に行わせることができる。
【図面の簡単な説明】
【図１】袋詰め装置の概略全体側面図である。
【図２】袋詰め装置の概略全体平面図である。
【図３】収納部に自然落下させる部分を示す要部の背面図である。
【図４】収納部の直上方に位置する搬送手段の平面図である。
【図５】搬送手段の終端部への動力伝達機構を示す平面図である。
【図６】収納部に自然落下させる部分を示す要部の側面図である。
【図７】第１ベルトコンベアの平面図である。
【図８】方向転換手段の具体的構造を示す平面図である。
【図９】方向転換手段の具体的構造を示す背面図である。
【図１０】米袋の方向転換中に米袋を押さえ付けるための具体構成を示す背面図である。
【図１１】収納部の側面図である。
【図１２】収納部の米袋を移動させる移動機構の構成を示す収納部の背面図である。
【図１３】１ｋｇ〜２．５ｋｇの米袋の積層の仕方を示す説明図であり、（ａ）は、１ｋｇの米袋を前後に１０袋ずつ合計２０袋積層した場合を示し、（ｂ）は、２ｋｇの米袋を前後に５袋ずつ合計１０袋積層した場合を示し、（ｃ）は、１．５ｋｇの米袋を前後に７袋ずつ合計１４袋積層した場合を示し、（ｄ）は、２．５ｋｇの米袋を前後に４袋ずつ合計８袋積層した場合を示している。
【図１４】３ｋｇ〜５ｋｇの米袋の積層の仕方を示す説明図であり、（ａ）は、３ｋｇの米袋を前後に２袋と３袋の合計５袋積層した場合を示し、（ｂ）は、３ｋｇの米袋を前後に３袋ずつ合計６袋積層した場合を示し、（ｃ）は、１ｋｇの米袋を前後方向に３，１，３の合計７袋積層した場合を示し、（ｄ）は、４ｋｇの米袋を前後方向に２，１，２の合計５袋積層した場合を示し、（ｅ）は、４．２ｋｇの米袋を２，１，２の合計５袋積層した場合を示し、（ｆ）は、５ｋｇの米袋を前後に２袋ずつ合計４袋積層した場合を示している。
【図１５】外装袋セット手段の具体構成を示す側面図である。
【図１６】外装袋に米袋を詰めた後、下方に移動させるための構成を示す側面図である。
【図１７】封止手段の具体構成を示す側面図である。
【図１８】第１及び第２折り込み部を折り込み動作させた状態を示す正面図である。
【図１９】封止動作を示す説明図であり、（ａ）は、第１〜第３の折り込み部を折り込み動作させる直前の状態を示す斜視図、（ｂ）は、第１折り込み部を折り込み動作させた状態を示す斜視図、（ｃ）は、第１及び第２折り込み部を折り込み動作させた状態を示す斜視図、（ｄ）は、第１〜第３折り込み部を折り込み動作させた状態を示す斜視図である。
【符号の説明】
１  米袋              ２  外装袋
2A,2B  左右縁部       2C  上部縁部
2D  下部縁部          ３  搬送手段
４  収納部            ５  移動機構
６  外装袋供給手段    ７  第１ベルトコンベア
８  第２ベルトコンベア
９  第３ベルトコンベア
10  姿勢変更手段      11  縦フレーム
12  横フレーム        13  支持部材
14  角形フレーム      15  フレーム
16  取付部材          17  貫通軸
18支持部材          18A  延出板部
19A,19B  連結板材
20  Ｌ型部材          21  連結部材
22  固定板            23  回転アーム
24  補助フレーム      25  電動モータ
26  箱体              27   駆動回転軸
28  カップリング      29  プーリ
30ブラケット        30A  板部
32  回転軸            33  プーリ
34,37  タイミングベルト
35,36  プーリ
38  エンコーダ        39  光電スイッチ
40  ガイド            41  押圧板
42  シリンダ          43  受止板
44  方向転換部材      45  回転軸
46  水平板部材        47  シリンダ
48  阻止手段          49  光電スイッチ
50  押圧板            51  ブラケット
52  回転軸            53  シリンダ
54  底部              55A,55B  前後壁部
55V  ブラケット       56  アーム
57,58  シリンダ
59  第１収納部        60  第２収納部
61  押圧板            62  駆動部
63  シリンダ          64  シリンダ本体
65  スライドテーブル  66  支持枠体
67アーム            67A  補助アーム
68  仕切板
69  シリンダ          70  収納部
71外装袋セット手段  72  回転テーブル
73  シリンダ本体      74  シリンダ
75  吸着パッド        76  口縁部材
77,78,79  シリンダ    80  支持フレーム
81  第１折り込み部    81A  板材
82第２折り込み部    82A,82B  押圧部材
83第３折り込み部    83A  ローラ
84  支持台            85〜89  シリンダ
90  ベルトコンベア    91  接当板
92  シリンダ          Ａ  方向転換手段
Ｂ  ベルト伝動機構    Ｃ  光電スイッチ
Ｄ  シリンダ          Ｆ  封止手段
Ｌ  距離              Ｍ  電動モータ
Ｓ  シリンダ
W、X1,X2,Y,Z  軸芯
【図１】
0004520556.tif 000002
【図２】
0004520556.tif 000003
【図３】
0004520556.tif 000004
【図４】
0004520556.tif 000005
【図５】
0004520556.tif 000006
【図６】
0004520556.tif 000007
【図７】
0004520556.tif 000008
【図８】
0004520556.tif 000009
【図９】
0004520556.tif 000010
【図１０】
0004520556.tif 000011
【図１１】
0004520556.tif 000012
【図１２】
0004520556.tif 000013
【図１３】
0004520556.tif 000014
【図１４】
0004520556.tif 000015
【図１５】
0004520556.tif 000016
【図１６】
0004520556.tif 000017
【図１７】
0004520556.tif 000018
【図１８】
0004520556.tif 000019
【図１９】
0004520556.tif 000020